(57)【特許請求の範囲】
【請求項１】
十字軸の４個の各ヘッド端面まで貫通する軸孔であって、各ヘッド端面の近傍側に拡大部を有する前記軸孔のそれぞれに圧入配置し、ユニバーサルジョイントの回転停止後にヘッドの周囲に配置したベアリングとこれらベアリングの周囲のベアリングキャップ内面との間を潤滑するオイルが軸孔の中心部に向かって流れ落ちるのを阻止し、回転再開後に即座にヘッド周囲を潤滑することができるようにする弾性エラストマ材料のオイルコントローラにおいて、
前記軸孔（２）の拡大していない部分よりも直径が大きく、軸孔（２）の中心部に向かって軸線方向に短い距離にわたって延在する胴部であって、上方部分には外周面を円環状にすぼませた縮径部（７）を設け、これにより、頂部に薄肉状のフランジ部（４）を生ずるようにし、また下方部分には、直径方向に対向する側面間の距離が軸孔直径よりも小さくなるように平坦に切除した少なくとも１対の平坦側面を設けた該胴部（５）と、
前記フランジ部から軸孔（２）の開口端部に向かって軸線方向に突出するスペーサ部であって前記軸孔直径よりも小さい半径方向寸法を有するスペーサ部（６）と、
により一体に構成し、
オイルコントローラ全体を前記軸孔（２）の拡大部から軸孔の中心の方向に内方に引っ込ませ、所定量のオイルを保持できる位置に圧入配置し、
前記スペーサ部（６）は、製造公差や長期間の使用後に圧入嵌合がゆるみ、潤滑オイル注入時の圧力またはユニバーサルジョイントの回転による遠心力で開口端部側に押しやられることがあっても、前記スペーサ部（６）がベアリングケース（１１）の底面に衝合することにより、フランジ部（４）が軸孔（２）の拡大していない部分に留まるように保持できる軸線方向長さを有する構成とした
ことを特徴とするユニバーサルジョイントのオイルコントローラ。
【発明の詳細な説明】
【０００１】
【発明の属する技術分野】
本発明は、十字軸の４個の各ヘッドの端面まで貫通する軸孔の各ヘッド端面の近傍側にそれぞれ圧入配置し、ユニバーサルジョイントの回転停止後にヘッドの周囲に配置したベアリングとこれらベアリングの周囲のベアリングキャップの内面との間を潤滑するオイル（グリース）が軸孔の中心部に向かって流れ落ちるのを阻止し、回転再開後に即座にヘッド周囲を潤滑することができるようにする弾性エラストマ材料、例えばゴム（天然又は合成）若しくはエラストマ樹脂のオイルコントローラに関するものである。
【０００２】
【従来の技術】
従来のこのようなオイルコントローラは、軸孔の中心側が閉鎖し、ヘッドの端面側が解放したコップ状をなしており、このコップ状オイルコントローラの外周面に軸線方向に延在する複数個の溝を形成するものであった。
【０００３】
ニップルから注入したオイル（グリース）はユニバーサルジョイントの回転による遠心力でオイルコントローラの外側面の溝を経て軸孔のヘッド側の開口端部に向かって流れ出し、十字軸ヘッド周囲のベアリング回りを潤滑する。ユニバーサルジョイントの回転停止後には、上側になった十字軸ヘッドにおいて軸孔から流下するオイルをコップ状のオイルコントローラで受け止めて保留し、回転再開時に即座にベアリング回りの潤滑に供することができるようにしている。
【０００４】
【発明が解決しようとする課題】
しかし、このような従来のコップ状のオイルコントローラでは、ユニバーサルジョイントの回転停止後に、上側になった十字軸ヘッドにおける潤滑オイルが外側面に設けた複数個の溝を介して軸孔の中心部に向かって流れ落ちる量が多く、回転再開時の潤滑作用を十分果たすことができない場合があり、この間にベアリング周囲に摩損を生ずる可能性があった。
【０００５】
従って、本発明の目的は、ユニバーサルジョイントの回転停止後に、十字軸ヘッドが上側になってもベアリング周りから軸孔の中心に向かって潤滑オイルがいかなる量も流下することがないオイルコントローラを得るにある。
【０００６】
【課題を解決するための手段】
この目的を達成するため、本発明ユニバーサルジョイントのオイルコントローラは、
前記軸孔の拡大していない部分よりも直径が大きく、軸孔の中心部に向かって軸線方向に短い距離にわたって延在する胴部であって、上方部分には外周面を円環状にすぼませた縮径部を設け、これにより、頂部に薄肉状のフランジ部を生ずるようにし、また下方部分には、直径方向に対向する側面間の距離が軸孔直径よりも小さくなるように平坦に切除した少なくとも１対の平坦側面を設けた該胴部と、
前記フランジ部から軸孔の開口端部に向かって軸線方向に突出するスペーサ部であって前記軸孔直径よりも小さい半径方向寸法を有するスペーサ部と、
により一体に構成し、
オイルコントローラ全体を前記軸孔の拡大部から軸孔の中心の方向に内方に引っ込ませ、所定量のオイルを保持できる位置に圧入配置し、
前記スペーサ部は、製造公差や長期間の使用後に圧入嵌合がゆるみ、潤滑オイル注入時の圧力またはユニバーサルジョイントの回転による遠心力で開口端部側に押しやられることがあっても、前記スペーサ部がベアリングケースの底面に衝合することにより、フランジ部が軸孔の拡大していない部分に留まるように保持できる軸線方向長さを有する構成とした
ことを特徴とする。
【０００７】
本発明オイルコントローラによれば、軸孔中心部に連通するニップルから給油されたるオイルは、ユニバーサルジョイントの回転の際に遠心力で軸孔壁面と胴部の平坦側面との間の隙間を経て増大する圧力の下で薄肉フランジ部の一部が逆止弁のように作用して軸孔の開口端部に向かって流れ出し、ユニバーサルジョイントの回転停止の際には上側になった十字軸ヘッドにおけるオイルの逆流を完全に阻止する。
【０００８】
【発明の実施の形態】
次に、図面につき本発明の好適な実施の形態を説明する。
【０００９】
図１（ａ），（ｂ）に、ユニバーサルジョイントの十字軸１のうちの１個のヘッド部分１Ａの軸孔２に配置したオイルコントローラ３を示す。ただし、オイルコントローラ３は変形する実際の圧入状態ではなく、元の原初状態を示す。
【００１０】
図２（ａ），（ｂ），（ｃ）に示すように、本発明によるオイルコントローラ３は、軸孔２よりも直径が大きい薄肉状のフランジ部４と、このフランジ部４から軸孔２の中心部に向かって軸線方向に突出する胴部５と、フランジ部から軸孔の開口端部に向かって軸線方向に突出しかつ軸孔直径よりも小さい半径方向寸法を有するスペーサ部６とを弾性エラストマ材料により一体に構成し、フランジ部４と胴部５との間にはすぼませた縮径部７を設ける。
【００１１】
胴部５は軸孔２よりも直径を大きくし、また１個の直径方向に対向する側面間の距離が軸孔直径よりも小さくなるように平坦に切除した少なくとも１対の平坦側面８を設ける。更に、胴部５の軸孔中心部側の端縁を面取りしたテーパ部９を設ける。
【００１２】
図示の実施の形態では、図２の（ｂ）に示すように、フランジ部４のスペーサ部６側の側面を中心のスペーサ部６に向かってテーパを付けて窪ませる。
【００１３】
軸孔２は、図１に示すように、ベアリングケースに対向する開口端部側は半径方向に拡大している。通常は、図１の（ａ）に示すように、オイルコントローラ３は、この拡大部から軸孔の中心の方向に内方に引っ込ませ、所定量のオイルを保持できる位置に圧入配置する。しかし、製造公差や長期間の使用後に圧入嵌合がゆるみ、ニップル１０を介しての潤滑オイル注入時の圧力又はユニバーサルジョイントの回転による遠心力で開口端部側に押しやられることがあっても、図１の（ｂ）に示すように、本発明オイルコントローラ３のスペーサ部６がベアリングケース１１の底面に衝合し、フランジ部４が軸孔２の拡大していない部分に留まり、回転停止時のオイルの上側になった十字軸ヘッドにおける逆流を阻止するというオイルコントローラとしての機能を全うする。
【００１４】
これに対し、従来のコップ状のオイルコントローラは中空であるため、軸孔内での圧入嵌合状態が緩み易く、オイル注入（グリース給脂）時の圧力又はユニバーサルジョイントの回転による遠心力で軸孔の拡大部まで移動してしまい、この場合オイル逆流を阻止するというオイルコントローラの機能を果たさなくなる。
【００１５】
【発明の効果】
本発明ユニバーサルジョイントのオイルコントローラによれば、コップ状中空体の外周に軸線方向の溝を設ける従来のオイルコントローラとは異なり、軸孔の内壁に圧入嵌合できるほぼ円筒形であり、オイル注入の際にオイルを通過させることができる１対の平坦側面部及び縮径部を設けた中実胴部と、全周にわたり軸孔の内壁に密着するとともに逆止弁として機能するフランジ部と、圧入嵌合がゆるんでもフランジ部を軸孔の非拡大部に留まらせるスペーサ部とを有する中実体であるため、ユニバーサルジョイントの回転停止後に、フランジ部がすべての量のオイルの逆流を阻止し、圧入嵌合状態が緩んでいてもスペーサ部の作用によってフランジ部は軸孔の拡大部の位置までは移動せず、オイルコントローラの機能を全うすることができる。
【００１６】
更に、本発明によれば、オイルコントローラの製造公差はそれほど厳密さは要求されず、厳しい製造公差を満たすに必要なコストをかけなくて済む。
【図面の簡単な説明】
【図１】  本発明オイルコントローラの使用説明図であり、（ａ）はユニバーサルジョイントにおける通常位置にセットした状態を示し、（ｂ）は圧入嵌合状態がゆるみオイル注入圧力又は遠心力で外方に移動した状態の説明図である。
【図２】  本発明オイルコントローラ自体を示し、（ａ）は平面図、（ｂ）は側面図、（ｃ）は底面図である。
【符号の説明】
1  十字軸
2  軸孔
3  オイルコントローラ
4  フランジ部
5  胴部
6  スペーサ部
7  縮径部
8  平坦側面
9  テーパ部
10  ニップル
11  ベアリングケース
【図１】
0004090753.tif 000002
【図２】
0004090753.tif 000003